(57)【要約】  リモートサーバと通信するための携帯通信機器を動作させる方法であって、当該方法は、上記携帯機器上で動作されるソフトウェアによって、支払いカードに関するデータを入力するための手段を供給するステップと、認証機関を用いて、上記支払いカードに関する上記データを認証するステップと、上記ソフトウェアによって、上記カードに関連する口座に関する上記リモートサーバ上に許可を選択的に設定するための少なくとも１つの手段を提供するステップとを含む。【特許請求の範囲】
【請求項１】
リモートサーバと通信するための携帯通信機器を動作させる方法であって、
当該方法は、
上記携帯機器上で動作されるソフトウェアによって、支払いカードに関するデータを入力するための手段を供給するステップと、
認証機関を用いて、上記支払いカードに関する上記データを認証するステップと、
上記ソフトウェアによって、上記カードに関連する口座に関する上記リモートサーバ上に許可を選択的に設定するための少なくとも１つの手段を提供するステップとを含むことを特徴とする方法。
【請求項２】
上記携帯機器上の上記ソフトウェアによって、上記ソフトウェアによる制御に対して上記カードを動作状態とするステップを含むことを特徴とする請求項１記載の方法。
【請求項３】
上記支払いカードを発行した金融機関を用いて、上記支払いカードに関する上記データを認証するステップを含むことを特徴とする請求項１又は２記載の方法。
【請求項４】
上記カードに関する上記データを認証するステップは、
少なくとも上記カード番号に関するデータを含むデータ伝送信号を、上記認証機関に送信するステップと、
上記認証機関から上記カードに関連する携帯通信番号に対して送信されたデータ伝送確認信号を、上記携帯機器上で受信するステップとを含み、
上記データ信号は認証コードを含み、
上記データを認証するステップは、
上記ソフトウェアによって上記認証コードにアクセスして、上記携帯機器から、少なくとも上記カード番号と上記認証コード信号とを含むデータ伝送信号を、上記サーバに送信するステップを含むことを特徴とする請求項１又は３記載の方法。
【請求項５】
上記認証コードは、上記認証コードの上記携帯機器上への受信から予め決定された時間内で、上記携帯機器上の上記ソフトウェアによってアクセスされることを特徴とする請求項４記載の方法。
【請求項６】
上記携帯機器と関連する格納手段に上記認証コードを格納し、上記認証コードを、少なくとも上記カード番号と関連付けるステップを含むことを特徴とする請求項４又は５記載の方法。
【請求項７】
上記カードは、上記リモートサーバ上の上記口座に関する許可を設定することによって、動作状態もしくは停止状態とされ、それによって、上記口座に関する取引のために、上記カードを動作可能な動作状態もしくは停止状態とすることを特徴とする請求項１〜６のうちのいずれか１つに記載の方法。
【請求項８】
上記支払いカードを選択的に動作状態もしくは停止状態とするための手段は、
「オン」もしくは「オフ」のステータスを選択するための入力手段の供給を備え、
上記リモートサーバにおいて、「オン」を選択すると、上記カードのステータスは動作状態として設定され、「オフ」を選択すると、上記カードのステータスは停止状態として設定され、それによって、上記関連する口座に関する、上記サーバ上の対応する許可を設定することを特徴とする請求項１〜７のうちのいずれか１つに記載の方法。
【請求項９】
上記支払いカードを選択的に動作状態もしくは停止状態とするための上記手段は、
予め決定された利用エリアに対する上記支払いカードを選択的に動作状態もしくは停止状態とするための手段の供給を含み、
上記利用エリアは、販売場所、現金自動預払機、オンライン取引、及び幾何学的な制限を含むことを特徴とする請求項８記載の方法。
【請求項１０】
上記予め決定された利用エリアのそれぞれに関して、「オン」もしくは「オフ」を選択するための入力手段を供給するステップを含むことを特徴とする請求項９記載の方法。
【請求項１１】
上記携帯機器を動作させて、データ伝送信号を、上記カードに関連する口座の口座残高に関するステータス更新を要求する上記サーバに送信するための選択手段を供給するステップと、
上記サーバから、上記口座残高に関するデータを含むデータ伝送信号を受信するステップと、
上記携帯機器の表示画面上に上記口座残高を表示するために上記データを処理するステップとを含むことを特徴とする請求項１〜１０のうちのいずれか１つに記載の方法。
【請求項１２】
元帳残高及び利用可能残高に関するステータス更新を要求するステップを含むことを特徴とする請求項１１記載の方法。
【請求項１３】
上記携帯機器を動作させて、上記カードに関連する口座の当座預金制限に関するステータス更新を要求する上記サーバにデータ伝送信号を送信するための選択手段を供給するステップと、
上記サーバから、上記当座預金制限に関するデータを含むデータ伝送信号を受信するステップと、
上記携帯機器の表示画面上に上記当座預金制限を表示するために上記データを処理するステップとを含むことを特徴とする請求項１〜１２のうちのいずれか１つに記載の方法。
【請求項１４】
日毎の及び月毎の口座制限に関するステータス更新を要求するステップを含むことを特徴とする請求項１３記載の方法。
【請求項１５】
上記データ伝送信号の少なくとも一部は、ショートメッセージサービス信号の形態で送信されることを特徴とする請求項１〜１４のうちのいずれか１つに記載の方法。
【請求項１６】
上記携帯通信機器は、Ａｐｐｌｅ（登録商標）社からのｉＯＳ（登録商標）オペレーティングシステムによって動作可能であることを特徴とする請求項１〜１５のうちのいずれか１つに記載の方法。
【請求項１７】
上記携帯通信機器は、Ｓｙｍｂｉａｎ（登録商標）、Ａｎｄｒｏｉｄ（登録商標）もしくはＢｌａｃｋｂｅｒｒｙ（登録商標）の携帯通信機器のオペレーティングシステムによって動作可能であることを特徴とする請求項１〜１５のうちのいずれか１つに記載の方法。
【請求項１８】
請求項１〜１７のうちのいずれか１つに記載の携帯通信機器と、上記携帯通信機器に対して相補的に動作するように構成された少なくとも１つのサーバとを備えたことを特徴とするシステム。
【請求項１９】
請求項１〜１７記載の方法を実行するためのソフトウェアの命令セットを動作するように構成された携帯通信機器。
【請求項２０】
請求項１〜１７記載の方法を実行するための携帯通信機器を動作するように構成されたコードを含むことを特徴とするソフトウェア。
【発明の詳細な説明】
【技術分野】
【０００１】
本発明は、携帯通信機器によって、口座リスク管理システムを動作させるための方法、システム及びソフトウェアに関する。
【背景技術】
【０００２】
現在、例えば銀行口座やカード口座などの口座に対する未権限のアクセスを介して著しい額の詐欺が犯されている。この大多数が、信用証明物及びクレジットカードもしくはデビットカードがコピーもしくは「スキミング」されて同一性が盗まれた結果として起こる。
【先行技術文献】
【非特許文献】
【０００３】
【特許文献１】国際公開第２００９／０７４，８４７号（国際出願ＰＣＴ／ＩＢ２００７／０５５，０１５）パンフレット
【特許文献２】国際公開第２０１０／１４６，４１６号（国際出願ＰＣＴ／ＩＢ２００９／０５２，５９０）パンフレット
【発明の概要】
【発明が解決しようとする課題】
【０００４】
金融機関、クレジットカード会社及びカード保険業者が、支払い機器に対する未権限のアクセスを回避するための認証セキュリティシステムを配置する一方で、多くのものは非効率的であって他のものは実施するには高価である。例えば、スマートカードはカードスキミングを回避するための最も安全な支払い技術として認識されており、効率的であるが、高価である。
【０００５】
さらに、著しい額のインターネットバンキング詐欺及びカード詐欺が、ログイン信用証明物又は支払いカードの詳細が権限のないものに漏れ、その後に資金を譲渡するために使用され、又はインターネット購入のために、未権限のメール注文や電話注文による購入のために、及びカード提示詐欺のために使用された結果として犯されると考えられる。
【０００６】
従って、ほとんどの口座保持者に対して容易にアクセス可能な機器及びチャンネルを用いた、シンプルで手頃な価格の方法によって、口座保持者が認証システムに対するリモートアクセスを可能とする、支払い機器及び口座に対するセキュリティを高める必要性がある。
【０００７】
現在のほとんどの詐欺回避の努力は、例えば偽造品に対するＥＭＶやインターネット詐欺に対する３Ｄセキュアなどの１つの課題に集中され、すべての金融チャンネルをカバーしない。効率的なシステムは、１つの解決手法を用いて出来るだけ多くのチャンネルをカバーする必要があろう。
【０００８】
特許文献１及び特許文献２において開示された上述した問題を少なくとも部分的に克服する口座管理システムが提供された。このシステムは、例えば銀行などのカードを発行する金融機関が、テキストメッセージによって携帯機器からそのシステムへのアクセスが許可され、次にカードのセキュリティ特徴を制御するために使用されてもよい中央サーバに関連する。そのシステムは、支払いカードに関する許可の設定を可能とする。携帯通信機器に関するこの能力を使用して、このシステムに対して可能な、許可に関してより進歩した制御を可能とするシステム、方法もしくはソフトウェアは今まで存在しなかった。
【０００９】
この明細書では、「口座」の用語は、例えば普通預金、未払勘定、小切手用口座、当座預金、組合ブランドのクレジット口座もしくは独自のクレジット口座もしくはデビットカード口座、金銭価値を反映する商人もしくはサービスプロバイダとの口座などの金銭口座に言及する。
【００１０】
本発明の目的は、上述した問題を少なくとも部分的に克服する方法、システム及びソフトウェアを提供することである。
【課題を解決するための手段】
【００１１】
本発明によれば、リモートサーバと通信するための携帯通信機器を動作させる方法が提供され、
当該方法は、
携帯機器上で動作されるソフトウェアによって、支払いカードに関するデータを入力するための手段を供給するステップと、
好ましくは支払いカードを発行した金融機関の認証機関を用いて、支払いカードに関するデータを認証するステップと、
さらに好ましくは、上記ソフトウェアによる制御に対してカードを動作状態とするステップと、
上記ソフトウェアによって、支払いカードに関連する口座に対する取引に関し、リモートサーバ上で格納された許可を選択的に設定するための少なくとも１つの手段を供給するステップとを含む。
【００１２】
カードに関するデータを認証するステップがさらに提供され、
当該ステップは、
少なくともカード番号に関するデータを含むデータ伝送信号を認証機関に送信するステップと、
認証機関からカードに関連する携帯通信機器に送信されたデータ伝送確認信号を、携帯機器上で受信するステップとを含み、
上記データ信号は認証コードを含み、
当該ステップは、
上記ソフトウェアによって認証コードにアクセスして、好ましくは認証コードの受信から予め決定された時間内で、携帯機器から少なくともカード番号及び認証コード信号を含むデータ伝送信号をサーバに送信するステップを含み、
当該ステップは、
好ましくは、認証コードを携帯機器に関連する格納手段に格納し、上記認証コードを少なくともカード番号に関連付けるステップを含む。
【００１３】
リモートサーバ上の口座に対する許可を設定することによって、動作状態もしくは停止状態とされるカードがさらに提供され、それによって口座に関する取引に対して上記カードが動作可能な動作状態もしくは停止状態とされる。
【００１４】
選択的にカードを動作状態もしくは停止状態とするステップがさらに提供され、
当該ステップは、
「オン」もしくは「オフ」のステータスを選択するために、機器上に入力手段を供給するステップを含み、ここで、「オン」を選択すると、カードのステータスが動作状態として設定され、「オフ」を選択すると、カードのステータスが停止状態として設定され、それによって上記リモートサーバ上の関連した口座に関する対応する許可を設定してリモートサーバ上でそのような取引を許可するかもしくは許可する。
【００１５】
携帯機器を動作させて予め決定された利用エリアに対するカードの動作状態もしくは停止状態に関する選択を入力するための選択手段を供給するステップを含む方法がさらに提供され、
上記利用エリアは、販売場所、現金自動預払機、オンライン取引、及び幾何学的制限を含み、
好ましくは予め決定された利用エリアのそれぞれに関し、「オン」もしくは「オフ」を選択するための入力手段の供給を含む。
【００１６】
携帯機器を動作させて、データ伝送信号を、好ましくは元帳残高及び利用可能残高を含む、カードに関連する口座の口座残高に関するステータス更新を要求するサーバに送信するための選択手段を供給するステップと、
口座残高に関するデータを含むデータ伝送信号を上記サーバから受信するステップと、
携帯機器の表示画面上に口座残高を表示するために上記データを処理するステップとを含む方法がさらに提供される。
【００１７】
携帯機器を動作させて、データ伝送信号を、好ましくは日毎及び月毎の口座制限を含む、カードに関連する口座の当座預金制限に関するステータス更新を要求するサーバに送信するための選択手段を供給するステップと、
当座預金制限に関するデータを含むデータ伝送信号を上記サーバから受信するステップと、
携帯機器の表示画面上に当座預金制限を表示するために上記データを処理するステップとを含む方法がまた提供される。
【００１８】
さらに、データ伝送信号が少なくとも一部は、好ましくはショートメッセージサービス信号の形態で送信される。
【００１９】
本発明はさらに、Ａｐｐｌｅ（登録商標）社からのｉＯＳ（登録商標）オペレーティングシステムによって動作され、代替にはＳｙｍｂｉａｎ（登録商標）、Ａｎｄｒｏｉｄ（登録商標）もしくはＢｌａｃｋｂｅｒｒｙ（登録商標）の携帯通信機器のオペレーティングシステムによって動作可能である携帯通信機器を含むように拡張される。
【００２０】
本発明の別の特徴によれば、上述定義された携帯通信機器と、当該携帯通信機器に対して相補的に動作するように構成された少なくとも１つのサーバとを備える。
【００２１】
本発明の別の特徴によれば、上述した方法を動作させるための、携帯通信機器上で動作可能なソフトウェアが提供される。
【００２２】
本発明の別の特徴によれば、上述した方法を実行するための命令セットを動作させるように構成された携帯通信機器が提供される。
【図面の簡単な説明】
【００２３】
【図１】メインカード入力メニューの画面ショットである。
【図２】カード番号入力のためのメニューの画面ショットである。
【図３】自動カードオン及びオフのステータスを選択するためのメニューの画面ショットである。
【図４】認証を待っているカードを示すメニューの画面ショットである。
【図５】動作状態のカードと停止状態のカードとを示すメニューの画面ショットである。
【図６】停止状態のカードの詳細を示すメニューの画面ショットである。
【図７】動作状態のカードの詳細を示すメニューの画面ショットである。
【図８】カードの動作状態の利用エリアを示すメニューの画面ショットである。
【図９】カードの動作状態もしくは停止状態の利用エリアを示すメニューの画面ショットである。
【図１０】多数の国に関するカードの停止状態の利用ステータスを示すメニューの画面ショットである。
【図１１】多数の国に関するカードの動作状態及び停止状態の利用ステータスを示すメニューの画面ショットである。
【図１２】カードに関連する口座に関する日毎の口座制限を示すメニューの画面ショットである。
【図１３】ユーザが口座制限を変更するメニューの画面ショットである。
【図１４】カードに関連する口座に関する現在の残高を示すメニューの画面ショットである。
【図１５】盗まれたカードボタンを示すメニューの画面ショットである。
【図１６】盗まれたカードがそのようなもの（盗まれたカード）として報告される前に表示される確認メッセージを示すメニューの画面ショットである。
【図１７】リストアップされたカードを選択してそれらを編集することを示すメニューの画面ショットである。
【図１８】カードが消去されたことを示すメニューの画面ショットである。
【発明を実施するための形態】
【００２４】
以下に、本発明のこれらの特徴及び他の特徴をより詳細に説明する。
【００２５】
本発明のより好ましい実施形態について一例を用いて添付図面を参照して説明される。
【００２６】
図面は、米国「Ａｐｐｌｅ（登録商標）」社からの商標名「ｉＰｈｏｎｅ（登録商標）」のもとで利用可能な携帯通信機器の表示画面を示す。
【００２７】
画面上の「ボタンを押すこと」に言及すると、それによって意味されることは、グラフィックのボタンもしくは選択フィールドを表示する表示画面上のエリアがタッチされてそれぞれの命令を実行するように機器に命令する、ということである。これらは従来の言葉の意味でのボタンではないが、それらは、ユーザが表示画面の適切なエリアを単にタッチすることによって選択を入力することができるタッチ画面ボタンとしての役目を果たす。ｉＰｈｏｎｅ（登録商標）の場合、「ボタン」はオンとオフの位置の間及びオフとオンの位置の間でスライド可能であるが、上記「ボタン」はまた同一の結果を得るためにまさにタッチされてもよい。同様に、「スクローリング」という言葉が使用されるとき、ユーザは彼の指を画面にわたってドラッグしてその方向に画面をスクロールするであろう。
【００２８】
図１は、携帯通信機器の画面ショットであって、この例では、Ａｐｐｌｅ（登録商標）の携帯通信機器の「ｉＯＳ（登録商標）」オペレーティングシステムのバージョン３．１のＡｐｐｌｅ（登録商標）３．１オペレーティングシステムを動作するｉＰｈｏｎｅ３ＧＳである。
【００２９】
画面上の右上の「＋」ボタンをタッチすることによってカードが追加される。これによって、図２に図示されたようなメニューが開かれ、そのメニューによってカードの正面上に現れたカード番号を入力することをユーザに促す。ユーザはカード番号を入力し、「次へ」のボタンをタッチすると、図３に図示されたようなメニューが開かれる。
【００３０】
このメニューにおいて、ユーザはカードのステータスを自動オンもしくは自動オフのいずれかに設定するように促される。もしカードが「オフ」に設定されれば、その場合は図４に図示されるように、カードがリストアップされるであろうが、それは認証を待っているであろう。一旦カードが初めて承認されると、図５に図示されるように、カードを「オン」もしくは「オフ」のいずれかに設定することによって、それが動作状態であるかもしくは停止状態であるかが示される。
【００３１】
カードのステータスを「オン」もしくは「オフ」に設定するために、カード自身は、その詳細を示すバーをタッチすることによって選択される。このことが図５に図示される。これによって、特定のカードに関連するメニューが開かれる。もしそのカードのステータスがオフに設定されれば、その場合は図６に図示された画面が表示される。ユーザは、カードを動作状態、すなわちカードを「オン」にしてそのステータスに変更するように促される。図６に図示されたスライダーボタンをタッチすることによって、それによってボタンが「オフ」から「オン」にスライドされ、カードが「オン」（動作状態）にされる。
【００３２】
図７に図示されるように、カードを動作状態にするとカードの詳細を示すメニューが開かれる。トップには、カードのステータスがいま「オン」であることが示される。
【００３３】
リスト化されているカード番号の直下には、そのカードのステータスが変更可能な、すなわち「販売場所」、「オンライン」及び「ＡＴＭ」に関する利用エリアがリストアップされる。これらのそれぞれが「オン」もしくは「オフ」にされてもよい。図７において、それらが「オフ」に設定されたものが図示されている。
【００３４】
「販売場所」エリアは、カードが販売場所（「ＰＯＳ」）機器において通されてもよいほとんどの店における販売に関する。いくつかの例では、ユーザは、そのような販売に関するコードを入力するように促されてもよく、例えばデビットカードが使用される場合であるが、ほとんどの例において、その取引が処理されるためには、カードを読み取り機に通すこと（カードのスワイプ）及びこのＰＯＳ機器から印刷された支払伝票上のユーザの署名で十分である。典型的には、署名はＰＯＳ機器では完全にはチェックされないので、通常はカードを機械に通すだけで取引の処理が可能となる。これが、これをカード詐欺に関する非常に危険な領域とさせる。
【００３５】
「オンライン」エリアは、カードの詳細がインターネット接続によりオンラインサービスに送信されるインターネットによる販売に関する。典型的には、そのような例では、さらにカードから取引を承認するために、支払いカードの後ろの３桁のＣＶＣのセキュリティコードが提出される必要がある。
【００３６】
「ＡＴＭ」エリアは、現金自動預払機もしくはキャッシュマシンにおけるカードの使用に関する。例えばこのような場合には、カードを物理的にＡＴＭに投入する必要があって、次に一旦促され、カード保持者はカードからの取引を承認するためのセキュリティコードを入力しなければならない。
【００３７】
図８及び図９に図示されるように、これらのすべては、各利用エリアに関して「オン」もしくは「オフ」をタッチすることによって「オン」もしくは「オフ」が独立してスイッチングされてもよい。
【００３８】
利用エリアの選択ブロックの真下に、「外国取引」、「制限（リミット）」、及び「残高」に関する選択ボタンを含む選択ブロックが表示される。
【００３９】
図１０に図示されたように、「外国取引」ボタンの選択によってメニューが開かれ、そのメニューは、多数の国が表示され、それについてはカードの利用ステータスが変更されてもよい。トップには「オン」もしくは「オフ」となってもよい「すべて」とマーキングされたフィールドがある。もしこれを「オフ」に設定すると、その下にリストアップされた国はどれも動作状態でなくなる。もし「すべて」のステータスが「オン」に設定されれば、その場合は、各国のステータスは、図１１に図示されるように、個々に「オン」か「オフ」に設定されてもよく、図１１では、南アフリカ及びイングランドに対するカードが動作状態となっている。各国は、名前及びその国旗によって識別される。
【００４０】
「制限」ボタンの選択によって、メインカードの詳細メニューに戻って（図９を参照する。）、カードの基準通貨における、この例では南アフリカランドにおけるカードに関する、日毎の及び月毎の取引制限を表示するメニューが開かれる。これが図１２に図示される。これらの値が、それぞれのエリアをタッチすることによって変更されてもよく、それによって、図１３に図示されるように、画面の下において値を選択する樽が開かれ、その樽を新しい値に「ローリングする」ことによって新しい値を選択する。
【００４１】
「残高」ボタンの選択によって、またメインカードの詳細メニューに戻って（図９を参照する。）、支払いカードに関連する口座に関する現在の残高を表示するメニューが開かれる。その残高には、元帳残高及び利用可能残高を含む。これが図１４に図示される。それらはカードに関連する口座に関する事務の現在の状態を簡単に反映させるので、これらを変更することは明らかに不可能である。
【００４２】
メインカードの詳細メニュー上に、残高入力エリアより下にもう１つの入力エリアが存在する。これは、画面上をスクロールダウンすることによって位置する。図１５に図示されるように、この入力ブロックには、「カードが盗まれたとして報告する」と書かれたボタンを含む。このボタンを押すと、図１６に図示されたようなメニューが表示される。これによって、人が「いま報告する」のボタンを押すことによって、カードが盗まれたとして報告することが可能となる。もしその人が進めようとしなければ、「キャンセル」のボタンが押されてもよい。
【００４３】
もしユーザがカードを消去する必要があれば、それはカードが更新されて新しい番号を有する新しいカードによって置き換えられる場合に起こるかもしれないが、図５に図示されるように、ユーザは、メイン画面の左上の「編集」ボタンを押す。これによって、侵入禁止の道路標識に類似した各カードの詳細ブロックの左隣にボタンが開かれる。このボタンは、特定のカードを消去するために押されてもよい。もしこのボタンが押されれば、ボタンの詳細は、ボタン内の白い水平線を垂直に配列されるように動かすことによって変更され、「消去」ボタンがカードの詳細の右に現れる。このことが図１７及び図１８それぞれに図示される。一旦カードが消去されてしまうと、たとえ誤って消去されたとしても、上述説明されたように再びそれは承認されて動作状態とされる必要がある。
【００４４】
この明細書で開示された機器、方法及びソフトウェアを使用することによって、ユーザは、彼の支払いカードのセキュリティを選択的に制御することができる。ユーザは、彼がカードを動作状態としたいときを選択してもよく、それによって、盗人が盗まれたカードデータを使用してそのカードに関連する口座にアクセスすることをほとんど不可能とする。典型的には、一旦カードがスキミングされてしまうと、複数の盗人は、その窃盗が気付かれてカードがキャンセルされる前に出来るだけ早く口座からすべての金額を引き出そうとするであろう。一旦このことが起こってしまうと、カードは役に立たなくなって、複数の盗人は証拠を破壊するためにそれを処分する。本発明を使用することによって、資金をまったく損失することなく、そしてカードをキャンセルする必要なしにこの時間窓を安全に通過することができる。自動「オフ」の特徴を使用することによって、盗人は、成功することなしに口座にアクセスしようと努力するかもしれず、盗人はそのカードがそのカードを発行した銀行においてすでにキャンセルされたと信じる可能性があって、その場合は急いでそのカードを処分する可能性が高い。その結果、カード所有者は彼のカードをキャンセルする必要すらないかもしれない。
【００４５】
上述説明された実施形態は、例だけの目的によって与えられ、本発明の範囲を制限することは意図されない、ということが認識されるであろう。特に、それは、Ａｐｐｌｅ（登録商標）のオペレーティングシステム（「ｉＯＳ（登録商標）」）の特定のバージョンに対して、もしくはＡｐｐｌｅ（登録商標）機器の特定のバージョンに対して動作する本発明のＡｐｐｌｅ（登録商標）ｉＰｈｏｎｅ（登録商標）の範囲を制限することは意図されない。本発明は、これらの後のバージョンに対しても同様に適用可能であって、それによって、この出願の提出時にはｉＯＳ（登録商標）のバージョン４．３及びｉＰｈｏｎｅ４（登録商標）まで拡張される。本発明は、ｉＰａｄ１（登録商標）及びｉＰａｄ２（登録商標）、並びにそれらの将来のバージョン、及びｉＰｈｏｎｅｓ（登録商標）の将来のバージョンを含む、Ａｐｐｌｅ（登録商標）社からの他の携帯通信機器に対して同様に適用可能である。
【００４６】
同様に、本発明はまた、Ａｐｐｌｅ（登録商標）のオペレーティングシステムとは異なるオペレーティングシステムを使用する他の携帯通信機器の製造者からの機器にも適用可能である。これらには、Ａｎｄｒｏｉｄ（登録商標）及びＳｙｍｂｉａｎ（登録商標）のシステムを含むが、これには限定されない。
【００４７】
カードが動作状態もしくは停止状態とされるとの記述においては、それは実際には、変更されたリモートサーバ上のカードに関連する口座に関する特定の許可である、ということが認識されるべきである。支払いカードの使用者にとってみると、全体に又は取引もしくは幾何学的エリアの選択されたタイプのためのいずれかで、それは動作状態もしくは停止状態とされたカードのいずれかであるというように見える。しかしながら、ユーザが携帯機器上の動作状態もしくは停止状態のボタンの１つを使用するとき、彼は実際には、リモートサーバ上の関連した口座に対するそのような取引のための、対応する許可を設定する。もし任意の特徴のステータスが、機器上に示されるように、「イエス」として示されるならば、言い換えると、そのような取引が許可されたならば、その場合は、対応する許可は、口座に対するリモートサーバ上に設定され、それが機器上に「ノー」として設定された場合はその逆となる。
【図１】
2013522753.tif 000002
【図２】
2013522753.tif 000003
【図３】
2013522753.tif 000004
【図４】
2013522753.tif 000005
【図５】
2013522753.tif 000006
【図６】
2013522753.tif 000007
【図７】
2013522753.tif 000008
【図８】
2013522753.tif 000009
【図９】
2013522753.tif 000010
【図１０】
2013522753.tif 000011
【図１１】
2013522753.tif 000012
【図１２】
2013522753.tif 000013
【図１３】
2013522753.tif 000014
【図１４】
2013522753.tif 000015
【図１５】
2013522753.tif 000016
【図１６】
2013522753.tif 000017
【図１７】
2013522753.tif 000018
【図１８】
2013522753.tif 000019